(57)【要約】【課題】従来の表示画面の略中心から周辺に向けて、輝度を低下させる省電力化技術では、表示位置に応じて補正量が決定されていたため、表示モードにより表示画面の表示範囲が変化させると、入力映像信号の明るさが変化し、違和感が生じていた。【解決手段】光量を低下させる補正傾斜ゲインがあり、表示画面に補正傾斜ゲインの値が等しい点で形成された空間形状があり、入力映像信号の拡大縮小率に応じて、空間形状を変化させる映像信号処理部を有することを特徴とした映像信号表示装置。【選択図】図１
2007104378.tif 000002
【特許請求の範囲】
【請求項１】
調光可能な表示画面を有する映像信号表示装置であって、
表示画面の略中心から周辺に向けて光量を低下させる補正傾斜ゲインがあり、
表示画面に補正傾斜ゲインの値が等しい点で形成された空間形状があり、入力映像信号の拡大縮小率に応じて、空間形状が変化する映像信号処理部を有する
ことを特徴とする映像信号表示装置。
【請求項２】
前記映像信号処理部は、
空間形状が変化する空間形状変換信号を、入力映像信号の拡大縮小率に応じて、生成する空間形状変換信号生成部と、
補正傾斜ゲインを、空間形状変換信号に応じて、生成する補正傾斜ゲイン生成部と、
補正傾斜ゲインに応じて、入力映像信号を補正し、出力映像信号を出力する信号レベル補正部と、
を有することを特徴とする請求項１記載の映像信号表示装置。
【請求項３】
入力映像信号の拡大縮小率は、入力映像信号の画素数と、入力映像信号が表示される表示範囲の画素数とに基づいて生成されることを特徴とする請求項１または２記載の映像信号表示装置。
【請求項４】
入力映像信号の拡大縮小率は、入力映像信号のアスペクト比と入力映像信号が表示画面に表示される表示範囲のアスペクト比に基づき生成される
ことを特徴とする請求項１または２記載の映像信号表示装置。
【請求項５】
入力映像信号の拡大縮小率は、ワイド表示、ズーム表示、ジャスト、パノラマ表示、
あるいは、スクィーズ表示の何れかの表示モードに基づき生成される
ことを特徴とする請求項１または２記載の映像信号表示装置。
【請求項６】
入力映像信号の縦方向の拡大縮小率、あるいは
入力映像信号の横方向の拡大縮小率、のどちらか一方の変化に応じて、
空間形状が縦方向あるいは縦方向のどちらかに拡大縮小される
ことを特徴とする請求項１または２記載の映像信号表示装置。
【請求項７】
入力映像信号から特徴量が抽出される特徴量抽出部を有し、
補正傾斜ゲイン生成部が特徴量及び空間形状変換信号に応じて、補正傾斜ゲインが生成される
ことを特徴とする請求項１〜６の何れかに記載の映像信号表示装置。
【発明の詳細な説明】
【技術分野】
【０００１】
本発明は、調光可能な表示画面を有する映像信号表示装置に関する。
【背景技術】
【０００２】
近年、環境意識の向上に伴い、電気機器にとって、消費電力を削減することが重要となっている。映像信号を表示する映像信号表示装置においても、消費電力を削減することが重要な課題となっている。
【０００３】
ヒトは表示画面の中心部を注視する場合が多いため、画面中心部の明るさを維持しつつ、比較的注視しない画面周辺部の明るさを低下させることで、表示画面の明るさ感を維持したまま、消費電力を削減する手法が知られている。その手法は、表示画面に対して、画面の略中心から周辺に向けて輝度が低下するように、入力映像信号が補正されることで、省電力化を実現している。その手法の代表として特許文献1がある。
【０００４】
さらに、入力映像信号に応じて、輝度の低下程度を動的に制御し、更なる省電力効果を得る手法として特許文献２および特許文献３がある。
【０００５】
従来技術の代表例として、特許文献２に記載された図を、図９に示す。
【特許文献１】特開2002−55675号公報
【特許文献２】特開2002−116728号公報
【特許文献３】特開2002−72951号公報
【発明の開示】
【発明が解決しようとする課題】
【０００６】
しかしながら、従来技術には次の課題がある。
【０００７】
映像信号表示装置において、入力映像信号の縦横の画素数と、表示画面に表示される表示範囲の縦横の画素数とが異なる場合、入力映像信号は拡大あるいは縮小される。
【０００８】
たとえば、入力映像信号の画素数を縦480画素、横640画素とし、映像信号表示装置の表示画面の画素数を縦480画素、横852画素とする。映像信号表示装置には、表示画面に出力映像信号が表示される表示範囲を決める信号(以下、表示モードと呼ぶ)として、図２（ａ）に示すような映像信号を表示画面の中心部に表示する４：３表示モードおよび、図２（ｂ）に示すような入力映像信号を表示画面の全体に表示するワイド表示モードなどがある。
【０００９】
従来技術では、表示モードによらず、表示位置に応じて、補正傾斜ゲインを生成していた。このため、映像信号表示装置の利用者が表示モードを切り替えた場合、入力映像信号の信号レベルが同じであるにも関わらず、表示位置が変化するため、明るさが変化していた。
【００１０】
つまり、表示モードを変更するたびに、明るさが異なるため、違和感が生じ、画質劣化となっていた。
【課題を解決するための手段】
【００１１】
第１の発明に係る映像信号表示装置は、
調光可能な表示画面を有する映像信号表示装置であって、
表示画面の略中心から周辺に向けて光量を低下させる補正傾斜ゲインあり、
表示画面に、補正傾斜ゲインの値が等しい点から形成された空間形状があり、
入力映像信号の拡大縮小率に応じて、空間形状を変化させる映像信号処理部を有する
ことを特徴とする映像信号表示装置。
【００１２】
この構成により、表示モード切替えにより、入力映像信号の拡大縮小率が変化しても、それに応じて、空間形状が変化するため、表示モード切替え前後で明るさ変化を防止できるので、画質劣化を抑制することができる。
【００１３】
第２の発明に係る映像信号表示装置は、
前記映像信号処理部が、
空間形状を変化させる空間形状変換信号を、入力映像信号の拡大縮小率に応じて、生成する空間形状変換信号生成部と、
補正傾斜ゲインを、空間形状変換信号に応じて、生成する補正傾斜ゲイン生成部と、
補正傾斜ゲインに応じて、入力映像信号を補正し、出力映像信号を出力する信号レベル補正部と、
を有することを特徴とする。
【００１４】
この構成により、表示モード切替えによる明るさ変化を抑制するため、画質劣化を抑制することができる。
【００１５】
第３の発明に係る映像信号表示装置は、
入力映像信号の拡大縮小率は、入力映像信号の画素数と、映像信号が表示される表示範囲の画素数とに基づいて生成されることを特徴とする。
【００１６】
この構成により、映像信号が表示される表示範囲の画素数の変化による明るさ変化を抑制するため、画質劣化を抑制することができる。
【００１７】
第４の発明に係る映像信号表示装置は、
入力映像信号の拡大縮小率は、入力映像信号のアスペクト比と映像信号が表示画面に表示される表示範囲のアスペクト比に基づき生成される
ことを特徴とする。
【００１８】
この構成により、表示画面のアスペクト比の変化による明るさ変化を抑制するため、画質劣化を抑制することができる。
【００１９】
第５の発明に係る映像信号表示装置は、
入力映像信号の拡大縮小率は、ワイド表示、ズーム表示、ジャスト、パノラマ表示、
あるいは、スクィーズ表示の何れかの表示モードに基づき生成される
ことを特徴とする。
【００２０】
この構成により、表示モード切替えによる明るさ変化を抑制するため、画質劣化を抑制することができる。
【００２１】
第６の発明に係る映像信号表示装置は、
入力映像信号から特徴量が抽出される特徴量抽出部を有し、
補正傾斜ゲイン生成部が特徴量に応じて、動的に補正傾斜ゲインが生成される
ことを特徴とする請求項１〜６の何れかに記載の映像信号表示装置。
【００２２】
この構成により、入力映像信号に応じて、補正傾斜ゲインを制御できるため、更なる省電力効果を得ることができる。
【発明の効果】
【００２３】
本発明によれば、表示モードの変更により、顔の表示位置が変化する。その際、従来技術では表示位置に応じて、補正傾斜ゲインが算出されていたため、顔の明るさが変化し、画質劣化となっていた。本発明により、表示モード変更による明るさを抑制することにより、安定した画質を得ることがでる。
【発明を実施するための最良の形態】
【００２４】
以下、本発明の実施の形態について、図面を参照しながら説明する。
【００２５】
（実施の形態１）
実施の形態１では、図１を基に説明する。まず構成について述べ、次に構成要素の動作について詳細に説明し、また、具体的な数値をあげて、説明する。
【００２６】
映像信号表示装置６００に入力される入力映像信号および拡大縮小率について説明する。入力映像信号とは、チューナ３００から出力された映像信号であり、位置情報および明るさ情報を有している。ここでは、入力映像信号をRGBとする。また、RGBに限らず、YCｂCr等でも良い。
【００２７】
拡大縮小率とは、表示画面に表示される表示範囲に、入力映像信号を合わせるために、入力映像信号を拡大あるいは縮小した率である。以下に、拡大縮小率の求め方を説明する。
【００２８】
まず、拡大縮小率の算出に必要な要素である入力映像信号の縦横の画素数と、表示画面の縦横の画素数及び、表示モードについて説明する。
【００２９】
入力映像信号がデジタル信号である場合、画面サイズやアスペクト比などのタグ情報から入力映像信号の縦横の画素数を算出し、入力映像信号がアナログ信号である場合、垂直同期信号(V−Snyc)と水平同期信号(H−Sync)また、グリーンオンシンクまたは、ブランキングの同期信号から入力映像信号の縦横の画素数を算出する。
【００３０】
映像信号表示装置の設定情報から表示画面の縦横の画素数を得る。
【００３１】
表示モードとは、表示画面のどこに入力映像信号を表示するかを決めるモードであり、映像信号表示装置の利用者が自由に切り替えられる場合が多く、映像信号表示装置を操作する操作部４００に、「画面モード」または「画面表示」または「アスペクト比」または「画面サイズ」という名前でボタンが装備される場合が多く、操作部４００から表示モードを得ることができる。表示モードの代表例を図２，図５に示す。
【００３２】
ジャスト（パノラマ）表示モード図２（ｃ）は、横倍率のみ変化させ、画面左右端の拡大縮小率を大きくする。ワイド（フル）表示モード図２（ｂ）は、横倍率のみ変化させ、全画素等倍率する。ズーム表示モード図２（ｄ）は、縦、横ともに倍率を変化させ、全画素等倍率する。レターボックス表示モード図５（ａ）は、縦倍率のみ変化させ、全画素等倍率する。厳密な倍率の値は、入力映像信号および映像信号表示装置に依存する。
【００３３】
次に、拡大縮小率の算出方法を説明する。
【００３４】
入力映像信号の画素数を縦In_ｙ，横In_xとし、表示画面の画素数を縦Dis_y、横Dis_xとし、表示モードの倍率を縦Mul_y，横Mul_xとする。このとき、
拡大縮小率（縦の方向の拡大縮小率、横の方向の拡大縮小率）は下式で表される。
【００３５】
【数１】
2007104378.tif 000003
【００３６】
映像信号表示装置６００は、大きく分けて、映像信号処理部１００と、映像信号表示部２００で構成されている。
【００３７】
映像信号処理部１００は、３つの部で構成されており、画面の中心から周辺に向けて、輝度を低下させる補正傾斜ゲインがあり、表示画面に、補正傾斜ゲインの値が等しい点から形成される形状を空間形状とし、図３（ａ）のような空間形状が、拡大縮小率に応じて、空間形状変換信号を生成する空間形状変換信号生成部１２０と、空間形状変換信号に応じて、補正傾斜ゲインを生成する補正傾斜ゲイン生成部１１０と、補正傾斜ゲインに応じて、入力映像信号の信号レベルを補正し、出力映像信号を出力する信号レベル補正部１４０から成る。
【００３８】
映像信号表示部２００は、映像信号処理部１００で出力された信号を表示する。
【００３９】
入力映像信号および、出力映像信号をそれぞれInおよびOutとし、表示画面の位置iに対するR，G，Bの信号レベルを(In_i_R,In_i_G,In_i_B),(Out_i_R,Out_i_G,Out_i_B)と表記し、また、単純化のために、In_i,Out_iという表記を併記する。
【００４０】
以下に、各構成要素について詳細に動作を説明する。
【００４１】
空間形状変換信号生成部１２０は、拡大縮小率を用いて下式から、空間形状変換信号a、bを生成する。
【００４２】
【数２】
2007104378.tif 000004
【００４３】
たとえば、入力映像信号の画素数と表示画面の画素数が等しく、表示モードがワイドの場合、映像信号が横方向に4／3倍されるので、空間形状変換信号は(a，b)=(１，3／4)となる。また、レターボックス表示モードの場合、映像信号が縦方向に０．８倍されるので、空間形状変換信号は(a，b)=(１.２５，１)となる。
【００４４】
また、フレーム内で拡大縮小率が変化する場合(ジャスト表示モードの場合)、位置iごとに空間形状変換信号a_i、b_iを算出してもよい。
【００４５】
補正傾斜ゲイン生成部１１０は、空間形状変換信号生成部１２０で算出した空間形状変換信号a_i、b_iと、画素の位置情報(ｘ、ｙ)から光量を低下させるための補正傾斜ゲインを生成する。
【００４６】
より詳細に説明するために、図３を参照する。図３（ａ）は、映像信号表示装置の表示画面にある空間形状を示した図である。また、図３（ｂ）は、横軸に、空間形状に応じて補正した距離（以下、傾斜距離）であり（数３）で表される。縦軸に、表示部に入力される信号レベルを示した図である。
【００４７】
このとき、空間形状を、画面中心を原点とした円形とし、画面内のある点Pに対する補正傾斜ゲインrevR_pを生成する場合を説明する。位置iにおけるｘ座標とｙ座標を(x_i、y_i)と表す。
【００４８】
まず、図３（ａ）の画面中心点Q(x_q、y_q)と点P(x_p、y_p)の傾斜距離r_pを求める。傾斜距離r_iは、一般的に関数r_i=r(x_p,y_p,a_p,b_p)で表される。図３では、空間形状が円形なので、傾斜距離r_pは（数３）で表される。
【００４９】
【数３】
2007104378.tif 000005
【００５０】
次に、傾斜距離r_pから輝度を低下させる補正傾斜ゲインrevR_pを求める。補正傾斜ゲインは傾斜距離rの関数revR_i=R(r_i)で表される。ここでは、ヒトが輝度低下を検知し難いように、補正傾斜ゲインが滑らかに変化するガウス関数を用いる。
【００５１】
【数４】
2007104378.tif 000006
【００５２】
この傾斜距離と補正傾斜ゲインの関係を図３（ｃ）に示す。
【００５３】
これにより、点Pに対する補正傾斜ゲインrevR_pを生成することができた。同様に全ての点に対して、補正傾斜ゲインを生成する。
【００５４】
信号レベル補正部１４０は、補正傾斜ゲインに応じて、入力映像信号を出力映像信号に補正する。
【００５５】
たとえば、入力映像信号の信号レベルと補正傾斜ゲインの積から低下量を求め、その低下量を入力映像信号から減算し、出力映像信号の信号レベルを得る。つまり（数５）で表される。
【００５６】
【数５】
2007104378.tif 000007
【００５７】
映像信号表示部２００は、自ら光を発する自発光型で、調光可能な表示画面を有し、出力映像信号に応じて、位置iごとに光量を調節することができる。代表例として、2枚のガラスの間にヘリウムやネオンなどの高圧のガスを封入し、そこに電圧をかけることによって発光させるプラズマディスプレイ、電圧をかけると発光する有機物質を利用した有機EL、電子銃を利用したCRT(CathodeRayTube)および、平面状の電子放出源(エミッター)から真空中に電子を放ち、蛍光体にぶつけて発光させるFED(FieldEmissionDisplay)がある。
【００５８】
以下に、実施の形態１について、具体的な数値をあげて説明する。
【００５９】
入力映像信号の画素数を縦480横640pixel、表示画面の画素数を縦480横852pixelとし、空間形状を円形とした場合を説明する。ある点Pの座標を(100、300)とし、その信号レベルを0〜255で正規化し、(In_i_R,In_i_G,In_i_B)＝(255,128,0)としたとき、表示モードがワイド表示モードおよび４：３表示モードそれぞれの出力映像信号のレベルを求める。画面左上の点を(0，0)とする。
【００６０】
拡大縮小率算出部500は、入力映像信号の拡大縮小率を求める。表示モードがワイド表示モードの場合、入力映像信号の拡大縮小率は（縦方向の拡大縮小率、横方向の拡大縮小率）=（１，１）となり、表示モードが４：３表示モードの場合、入力映像信号の拡大縮小率は（縦方向の拡大縮小率、横方向の拡大縮小率）=（１，３／４）となる。
【００６１】
次に、空間形状変換信号生成部１２０は、拡大縮小率から、空間形状変換信号a,bを生成する。
【００６２】
（数２）から、
【００６３】
【数６】
2007104378.tif 000008
【００６４】
となる。
【００６５】
補正傾斜ゲイン生成部１１０は、まず傾斜距離を求める。中心画素Qは、表示画面の画素数の半分(426，240)であり、（数３）から画素Pの傾斜距離を算出する。
【００６６】
ワイド表示モードの場合、(a,b)=(1,1)であり、
【００６７】
【数７】
2007104378.tif 000009
【００６８】
となる。
【００６９】
次に（数４）から補正ゲインを求める。
【００７０】
最大輝度低下量KをK=0.5と定め、傾斜距離に対する傾斜ゲインを規定する定数σをσ＝0.35と定める。傾斜距離の最大値r_maxは、次のようになる。
【００７１】
【数８】
2007104378.tif 000010
【００７２】
点Pの補正ゲインは次のようになる。
【００７３】
【数９】
2007104378.tif 000011
【００７４】
４：３表示モードの場合、(a,b)=(１,４／３)であり、
【００７５】
【数１０】
2007104378.tif 000012
【００７６】
となる。（数３にａ＝１，ｂ＝４／３を代入したのものと異なる）★★★
最大傾斜距離は、次のようになる。
【００７７】
【数１１】
2007104378.tif 000013
【００７８】
ここでは、入力映像信号が表示される範囲で最大傾斜距離rを求めた。
【００７９】
点Pの補正ゲインは次のようになる。
【００８０】
【数１２】
2007104378.tif 000014
【００８１】
信号レベル補正部１４０は、
入力映像信号のレベルが(In_p_R,In_p_G,In_p_B)＝(255,128,0)であり
（数５）より(Out_p_R,Out_p_G,Out_p_B)を求める。
【００８２】
【数１３】
2007104378.tif 000015
【００８３】
となる。
【００８４】
以上の全ての画素において処理することで、出力映像信号を得ることが出来る。
【００８５】
これにより、入力映像信号が拡大あるいは縮小さらに、ジャスト表示などの非線形な拡大縮小においても、明るさ変化を抑制する空間形状になるため、画質劣化を抑制することができる。
【００８６】
（実施の形態２）
実施の形態２を図４に示し、実施の形態１との相違点を説明する。
【００８７】
相違点は、拡大縮小率でなく、アスペクト比から、空間形状変換信号を生成する点である。
【００８８】
入力映像信号のアスペクト比(以下、入力アスペクト比)および表示画面に映像信号が表示される範囲のアスペクト比(以下、出力アスペクト比)から、空間形状変換信号を算出する。以下に、入力アスペクト比と出力アスペクト比の求め方について説明する。
【００８９】
入力アスペクト比は、入力映像信号の縦横の画素数の比に基づいて算出する。出力アスペクト比は、表示画面に表示される表示範囲の画素数の比に基づいて算出する。
【００９０】
たとえば、入力アスペクト比が４：３であり、映像信号表示装置の表示画面のアスペクト比が１６：９であり、表示モード信号が以下の２種類の場合について、出力アスペクト比を求める。
【００９１】
図２（ａ）のように、4：3表示モードの場合、出力アスペクト比(Out_v、Out_h)＝(４：３)となる。
【００９２】
図２（ｂ）のように、ワイド表示モードの場合、出力アスペクト比(Out_v、Out_h)＝(16：9)となる。
【００９３】
空間形状変換信号生成部１２１は、入力アスペクト比(In_v、In_h)と、出力アスペクト比(Out_v、Out_h)から空間形状変換信号a、bを下式より生成する。
【００９４】
【数１４】
2007104378.tif 000016
【００９５】
たとえば、画面の中心点Qから周辺部に向けて、円形の空間形状が生成され、
画面内のある点Pの座標(x_p、y_p)に対する補正傾斜ゲインrevR_pの生成する例を説明する。
【００９６】
傾斜距離算出は一般的に、関数r_i=r(x_p,y_p)と表され、ここでは、傾斜距離r_pを次式で表す。
【００９７】
【数１５】
2007104378.tif 000017
【００９８】
傾斜距離ｒから補正傾斜ゲインrevRは、実施の形態１と同様の方法で算出される。
【００９９】
以上の全ての画素において処理することで、出力映像信号を得ることが出来る。
【０１００】
これにより、アスペクトの変化に応じて、空間形状を適応的に変更できるため、画質劣化を抑制することができる。
【０１０１】
（実施の形態３）
実施の形態３を図６に示し、まず構成について述べ、次に構成要素の動作について詳細に説明する。
【０１０２】
映像信号表示装置は、大きく分けて、映像信号処理部１００と、映像信号表示部２００（図示しない）で構成されている。
【０１０３】
映像信号処理部１００は、3つの部で構成されており、補正傾斜ゲインを生成する補正傾斜ゲイン生成部１１２と、補正傾斜ゲインに応じて、入力映像信号の信号レベルを補正し、補正入力映像信号を出力する信号レベル補正部１４０と、画像モード情報に応じて、補正入力映像信号が表示画面の表示範囲に収まるように、補正入力映像信号の画像サイズを拡大あるいは縮小する拡大縮小変換部１８０とから成る。
【０１０４】
映像信号表示部２００は、上記映像信号処理部１００で出力された映像信号を表示画面に表示する。
【０１０５】
以下に、各構成要素について説明する。
【０１０６】
補正傾斜ゲイン生成部１１２は、表示画面の略中心から周辺に向けて、輝度を低下させるための補正傾斜ゲインrevR_iを生成する。傾斜距離の算出に次の式を用いる。
【０１０７】
【数１６】
2007104378.tif 000018
【０１０８】
実施の形態１の記載と同じである。
【０１０９】
信号レベル補正部１４０は、補正傾斜ゲイン生成部１１２で生成した補正傾斜ゲインに応じて、下式のように、入力映像信号を補正入力映像信号RevIn_iに補正する。
【０１１０】
【数１７】
2007104378.tif 000019
【０１１１】
拡大縮小変換部１８０は、画像モード情報に応じて、補正入力映像信号が表示画面の表示範囲に収まるように、補正入力映像信号の画像サイズを拡大あるいは縮小する。
【０１１２】
たとえば、表示画面が横853pixel縦480pixel,入力映像信号が横640pixel縦480pixelであり、画像モード情報が4:3モードの場合、補正入力映像信号を横方向に0.75倍に縮小する。縮小アルゴリズムとして、バイキュービックやニアレストネイバーなどを用いてもよい。
【０１１３】
これにより、空間形状変換信号生成部を利用せず、実施の形態１、２と同様に、表示モードに応じた補正傾斜ゲインを得ることができ、表示モード切替えによる明るさ変化を抑制するため、
画質が劣化することを抑制する。
【０１１４】
（実施の形態４）
実施の形態４を図７に示し、実施の形態１との相違点を説明する。
【０１１５】
実施の形態１との相違点は、定数の最大輝度低下量Kが動的な動的最大輝度低下量Eになった点である。これにより、入力映像信号に応じた処理を行うことが出来るため、画質を維持しつつ、更に電力を削減することが出来る。
【０１１６】
フレーム毎に入力映像信号から、入力映像信号の特徴量Cを抽出する特徴量抽出部１５０と、補正傾斜ゲイン生成部１１０の代わりに、特徴量Cを用いて、そのフレームに応じた補正傾斜ゲインを出力する補正傾斜ゲイン生成部１１３を用いる。
【０１１７】
特徴量抽出部１５０は、特徴量として周波数帯域成分を出力する。周波数帯域成分とは、入力映像信号の特定領域の周波数成分の二乗和（パワー）である。
【０１１８】
まず、入力映像信号から入力輝度信号(InY)を下式から求める。
【０１１９】
【数１８】
2007104378.tif 000020
【０１２０】
次に、入力輝度信号InYから周波数帯域成分を求めるために、入力信号InYをフーリエ変換し、F(w)を求める。周波数帯域０〜１ｃｐｄにおけるパワーを下式から求める。
【０１２１】
【数１９】
2007104378.tif 000021
【０１２２】
ここで、ｃｐｄ（ｃｙｃｌｅ  ｐｅｒ  ｄｅｇｒｅｅ）は空間周波数である。例えば、表示画面の水平画素数が「１０２４」であり、視角が３３度であるとき、空間周波数の最高値は約１５．５ｃｐｄとなる。
【０１２３】
なお、周波数帯域成分を求めるのに、バンドパスフィルタを用いても良い。これにより、フーリエ変換を用いる場合よりも回路規模を削減できる。
【０１２４】
また、フレーム毎に複数の特徴量を抽出しても良い。さらに、周波数帯域成分だけでなく、平均輝度や平均彩度、ヒストグラムを抽出しても良い。
【０１２５】
補正傾斜ゲイン生成部１１３は、特徴量抽出部１５０で抽出された特徴量Cに応じて、フレーム毎に動的最大輝度低下量Eを生成し、入力画像に応じた補正傾斜ゲインを生成する。
【０１２６】
実施の形態１と同様に、たとえば、画面の中心点Qから周辺部に向けて、円形の空間形状をつけ、面内のある点Pの座標(x_p、y_p)に対する補正傾斜ゲインrevR_pの生成する場合を説明する。
【０１２７】
まず、画面の中心点Qから点Pの傾斜距離r_pを、実施の形態１と同様に求める。
【０１２８】
次に、特徴量抽出部１５０で求めた特徴量Cに応じた動的最大輝度低下量を求める。その際、主観評価実験により画質劣化が検知できない範囲で動的最大輝度低下量Eを求める。たとえば、特徴量Cと動的最大輝度低下量Eの関係を図８のように対応付ける。
【０１２９】
最後に、傾斜距離rおよび動的最大輝度低下量Eから補正傾斜ゲインrevRを求める。一般にrevR_i=R(r_i)と表され、次式で表す。
【０１３０】
【数２０】
2007104378.tif 000022
【０１３１】
（数４）との変更点は、最大輝度低下量Kが特徴量に応じた動的最大輝度低下量Eに変更した点である。これにより、入力映像信号に応じた処理を行うことが出来るため、画質を維持しつつ、更に電力を削減することが出来る。また上記に限らず、特許文献２記載のように平均輝度レベルを用いて動的最大輝度低下量Eを生成してもよい。
【産業上の利用可能性】
【０１３２】
映像を表示するテレビなどのディスプレイデバイスだけでなく、映像信号を記録する録画機器などの用途にも利用できる。
【図面の簡単な説明】
【０１３３】
【図１】実施の形態１に係る映像信号表示装置の構成を示したブロック図
【図２】入力アスペクト比4：3を出力アスペクト比16：9に表示する場合の説明図（ａ）4：3表示モードの図（ｂ）ワイド表示モードの図（ｃ）ジャスト表示モードの図（ｄ）ズーム表示モードの図
【図３】（ａ）空間形状図（ｂ）傾斜距離rに対する表示画面に入力される信号レベルの空間形状図（ｃ）傾斜距離rに対する傾斜ゲインの空間形状図
【図４】実施の形態２に係る映像信号表示装置の構成を示したブロック図
【図５】入力アスペクト比16：９を出力アスペクト比4：3に表示する場合の説明図（ａ）レターボックス表示モードの図（ｂ）スクィーズ表示モードの図（ｃ）パンスキャン表示モードの図
【図６】実施の形態３に係る映像信号表示装置の構成を示したブロック図
【図７】実施の形態４に係る映像信号表示装置の構成を示したブロック図
【図８】特徴量に対する最大輝度低下量の関係を示す図
【図９】従来の映像信号表示装置の構成を示すブロック図
【符号の説明】
【０１３４】
１００    映像信号処理部
１１０    補正傾斜ゲイン生成部（実施の形態１）
１１１    補正傾斜ゲイン生成部（実施の形態３）
１１２    補正傾斜ゲイン生成部（実施の形態４）
１１３    補正傾斜ゲイン生成部（従来例）
１２０    空間形状変換信号生成部（実施の形態１）
１２１    空間形状変換信号生成部（実施の形態２）
１３０    拡大縮小部
１４０    信号レベル補正部
１５０    特徴量抽出部
１８０    拡大縮小変換部
２００    映像信号表示部
３００    チューナ
４００    操作部
５００    拡大縮小率算出部
６００    映像信号表示装置
７００    アスペクト比算出部
【図１】
2007104378.tif 000023
【図２】
2007104378.tif 000024
【図３】
2007104378.tif 000025
【図４】
2007104378.tif 000026
【図５】
2007104378.tif 000027
【図６】
2007104378.tif 000028
【図７】
2007104378.tif 000029
【図８】
2007104378.tif 000030
【図９】
2007104378.tif 000031